(57)【特許請求の範囲】
【請求項１】
角筒状の容器本体の開口部に、振り出し箱を付勢状態に収容するキャップを装着した容器であって、前記キャップが、キャップ本体と振り出し箱と天板とから構成され、前記キャップ本体には、一側の周壁上方に振り出し箱用切欠きを設け、対応する周壁に振り出し箱との掛止部を内面にもつ押し板部を両側にスリットを形成して設け、該押し板部の下方周壁内面にバネを設け、両側の周壁内面に振り出し箱との摺動桟部を設け、振り出し箱には、前方に振り出し部を設け、該振り出し部の後方外周に位置決め段差を設け、後方の周壁外側にキャップ本体との掛止部を設け、底部の後方に導入孔を設け、該導入孔の後方底部にバネ係止孔を設け、天板には、後方に前記キャップ本体の押し板部用切欠きを設け、振り出し箱は掛止部同士が係止された際にバネにより付勢状態となり容器本体に格納され、押し板部を押し掛止部が外れることにより、付勢状態の振り出し箱の振り出し部がキャップ本体の振り出し箱用切欠きから突出することを特徴とする振り出し容器。
【発明の詳細な説明】
【０００１】
【発明の属する技術分野】
本発明は、ガム、チョコレート、飴などの粒状内容物に用いる振り出し容器に関するものである。
【０００２】
【従来の技術】
従来、粒状内容物に用いる振り出し容器（１０）としては、例えば、図４（ａ）に示すように、前方（図では、左側方向。以下同様）に振り出し部（１２３）をもち後方（図では、右側方向。以下同様）に押し出し部（１２９）をもち底部に導入孔をもつ振り出し箱（１２０）をスライド可能に収容するキャップ（１００）を、角筒状の容器本体（２００）の開口部に装着したものが知られていた。この容器は、粒状内容物を振り出すときには、図４（ｂ）に示すように、キャップ（１００）に収容する振り出し箱（１２０）を、後方の押し出し部（１２９）を指で前方へ押し込んで、振り出し部をキャップから前方へ突出させて、容器を傾斜倒立させ、容器本体内の粒状内容物を導入孔から振り出し箱に入れ、振り出し部の上方の開口部（１２４）から粒状内容物（２０）を振り出していた。
【０００３】
【発明が解決しようとする課題】
しかしながら、上述の従来の振り出し容器は、キャップに収容する振り出し箱の押し出し部を指で十分に押し込んで、振り出し箱の前方の振り出し部をキャップから十分に突出させないと、振り出し部の上方の開口部が狭くなり、粒状内容物が振り出しにくいことがあった。振り出し箱の押し出し部の指による押し込み方には、個人差があり、特に幼児の場合には、指が小さくて十分に押し出し部を押し出すことができない問題があった。
【０００４】
本発明は、上述の従来の振り出し容器における問題を解決したものであり、キャップに収容する振り出し箱の振り出し部を、個人差なく幼児でもワンタッチで十分に突出させることが可能な振り出し容器を提供するものである。
【０００５】
【課題を解決するための手段】
本発明は、図１（ａ）及び（ｂ）に示すように、角筒状の容器本体（２００）の開口部に、振り出し箱（１２０）を付勢状態に収容するキャップ（１００）を装着した容器であって、前記キャップが、キャップ本体（１１０）と振り出し箱（１２０）と天板（１３０）とから構成され、図２に示すように、前記キャップ本体（１１０）には、一側の周壁（１１１）上方に振り出し箱用切欠き（１１２）を設け、対応する周壁に振り出し箱との掛止部（１１３）を内面にもつ押し板部（１１４）を両側にスリット（１１５）を形成して設け、この押し板部の下方周壁内面にバネ（１１６）を設け、両側の周壁内面に振り出し箱との摺動桟部（１１７）を設け、振り出し箱（１２０）には、前方に振り出し部（１２３）を設け、この振り出し部の後方外周に位置決め段差（１２５）を設け、後方の周壁外側にキャップ本体との掛止部（１２６）を設け、底部（１２２）の後方に導入孔（１２７）を設け、この導入孔の後方底部にバネ係止孔（１２８）を設け、天板（１３０）には、後方に前記キャップ本体の押し板部用切欠き（１３１）を設け、振り出し箱（１２０）は、図１（ａ）に示すように、掛止部同士（１１３と１２６）が係止された際にバネ（１１６）により付勢状態となり容器本体（２００）に格納され、図１（ｂ）に示すように、押し板部（１１４）を押し掛止部（１１３）が外れることにより、付勢状態の振り出し箱の振り出し部（１２３）が図２に示すキャップ本体（１１０）の振り出し箱用切欠き（１１２）から突出することを特徴とする図３（ａ）及び（ｂ）に示す振り出し容器（１０）である。
【０００６】
【作用】
本発明の振り出し容器の容器本体の開口部に装着されたキャップには、振り出し箱が収容されているが、この振り出し箱は、キャップ本体の後方周壁下方内面に設けられたバネの先端が振り出し箱の後方底部に設けられたバネ係止孔に係止して接続されており、キャップ本体の後方の周壁に設けられた押し板部の内面の掛止部に、振り出し箱の後方の周壁外側に設けられた掛止部を振り出し箱をキャップ内に押し込んで掛止しすると、振り出し箱は、バネの復元力により前方へ付勢状態でキャップ内に収容される。
【０００７】
このため、キャップ本体の後方の周壁に設けられた押し板部を指で押して、先端部を内側へ傾斜させると、押し板部の内面の掛止部に掛止していた振り出し箱の後方の周壁外側に設けられた掛止部が外れて、振り出し箱は、バネの復元力によって、振り出し箱の振り出し部の後方外周に設けられた位置決め段差が、キャップ本体の前方周壁に設けられた振り出し箱用切欠きの外縁部内面に当接するまで自動的に前方へ移動する。この結果、振り出し箱の前方の振り出し部が、キャップから十分に突出する。従って、本発明の振り出し容器は、キャップに収容する振り出し箱の振り出し部を、個人差がなく、特に幼児でもワンタッチで十分に突出させることができる。
【０００８】
【発明の実施の形態】
本発明の振り出し容器は、図１（ａ）に示すように、角筒状の容器本体（２００）の開
口部に、振り出し箱（１２０）を付勢状態に収容するキャップ（１００）を挿嵌、咬合などにより装着するものである。このキャップ（１００）は、キャップ本体（１１０）と振り出し箱（１２０）と天板（１３０）とから構成され、これらの構成部材は、ポリエチレン、ポリプロピレンなどの熱可塑性樹脂を用いて射出成形法で作製するものである。また、容器本体は、通常では、ポリプロピレン、ポリエチレン、ポリスチレンなどの熱可塑性樹脂を用いて射出成形法で作製するものである。
【０００９】
本発明の振り出し容器の一実施形態のキャップの構造は、図１（ａ）に示すように、キャップ本体（１１０）には、一側の周壁（１１１）上方に振り出し箱用切欠き（１１２）を設け、対応する周壁に振り出し箱との掛止部（１１３）を内面にもつ押し板部（１１４）を両側にスリット（１１５）を形成して設け、この押し板部の下方周壁内面にバネ（１１６）を設け、両側の周壁内面に振り出し箱との摺動桟部（１１７）を設け、周壁の下方に容器本体との挿嵌、咬合などの装着部（１１８）を設け、振り出し箱（１２０）には、前方に振り出し部（１２３）を設け、この振り出し部の後方外周に位置決め段差（１２５）を設け、後方の周壁外側にキャップ本体との掛止部（１２６）を設け、底部（１２２）の後方に導入孔（１２７）を設け、この導入孔の後方底部にバネ係止孔（１２８）を設け、天板（１３０）には、後方にキャップ本体の押し板部用切欠き（１３１）を設けるものである。
【００１０】
そして、上述のキャップの組立は、図２に示すように、キャップ本体（１１０）に、キャップ本体に設けられているバネ（１１６）の先端を振り出し箱のバネ係止孔（１２８）に係止し、また、振り出し箱の掛止部（１２６）をキャップ本体の掛止部（１１３）に掛止させて、バネの復元力により前方方向へ付勢状態に振り出し箱（１２０）を収容し、この上に天板をキャップ本体に挿嵌、咬合などによりしっかりと冠着するものであり、また、図１（ｂ）及び図３（ｂ）に示すように、キャップ本体（１１０）の後方の周壁に設けられた押し板部（１１４）を指で押すと、押し出し板が内側へ傾斜して、キャップ本体の掛止部（１３１）から振り出し箱（１２０）の掛止部（１２６）が外れて、振り出し箱が、バネ（１１６）の復元力によって前方へ移動し、振り出し箱の位置決め段差（１２５）とキャップ本体の振り出し箱用切欠きの外縁部内面に当接して、振り出し箱の前方の振り出し部（１２３）が、キャップから十分に突出して停止するように、作製設計するものである。
【００１１】
なお、粒状内容物を容器から振り出すときには、図１（ｂ）に示すように、振り出し部（１２３）をキャップ（１００）から前方へ突出させて、容器（１０）を傾斜倒立させ、容器本体（２００）内の粒状内容物を導入孔（１２７）から振り出し箱（１２０）に入れ、振り出し部（１２３）の上方の開口部（１２４）から粒状内容物（２０）を振り出すものである。
【００１２】
【発明の効果】
本発明の振り出し容器は、容器本体の開口部に装着するキャップの後方の周壁に設けられている押し板部を指で押すだけで、キャップに収容する振り出し箱の振り出し部が、バネの復元力によって自動的に十分に突出して、粒状内容物を振り出すことができる。この操作は、個人差なく、特に幼児でもワンタッチで行える。
【００１３】
また、使用後に、キャップから突出している振り出し箱を押し込めば、自動的に  振り出し箱をキャップ本体に掛止して、キャップ内に振り出し箱が収容されて容器が封止される。
【図面の簡単な説明】
【図１】（ａ）は、本発明の一実施形態の振り出し容器の断面図であり、（ｂ）は、その容器を
開口して粒状内容物を振り出す状態を示す説明図である。
【図２】本発明の図１に示した振り出し容器のキャップの組み込み順を示す分解斜視図である。
【図３】（ａ）は、本発明の図１に示した振り出し容器の斜視図であり、（ｂ）は、その容器を開口して粒状内容物を振り出す状態を示す斜視図である。
【図４】（ａ）は、従来の一例の振り出し容器の断面図であり、（ｂ）は、その容器を開口して粒状内容物を振り出す状態を示す説明図である。
【符号の説明】
１０……容器
２０……内容物
１００……キャップ
１１０……キャップ本体
１１１，１２１……周壁
１１２，１３１……切欠き
１１３，１２６，１５２……掛止部
１１４……押し板部
１１５……スリット
１１６……バネ
１１７……摺動桟部
１１８……装着部
１１９……ヒンジ
１２０……振り出し箱
１２２……底部
１２３……振り出し部
１２４……開口部
１２５……位置決め段部
１２７……導入孔
１２８……係止孔
１２９……押し出し部
１３０……天板
２００……容器本体
【図１】
0003587044.tif 000002
【図２】
0003587044.tif 000003
【図３】
0003587044.tif 000004
【図４】
0003587044.tif 000005